(57)【要約】【課題】原稿の再読み取りにかかる時間を短縮する。【解決手段】画像読取装置は、載置読取を実行するとき、第１コンタクトガラス上に載置された原稿に光を照射する光源と、原稿からの反射光を受光することによって原稿を読み取るイメージセンサーと、光源を副走査方向に移動させることによって読取ラインを移動させる移動機構と、制御部と、振動検知部と、を備え、載置読取の実行中に閾値を超える振動を検知したとき、制御部は、載置読取を中断し、閾値を超える振動を検知したときに読み取っていた検知時ラインに対して所定ライン数分だけ遡ったラインの読み取りがイメージセンサーにて行われる位置に光源を移動させ、検知時ラインに対して所定ライン数分だけ遡ったラインから載置読取をやり直す。【選択図】図５
2017229023.tif 000002
【特許請求の範囲】
【請求項１】
第１コンタクトガラスと、
前記第１コンタクトガラス上に載置された原稿を読み取る載置読取を実行するとき、前記第１コンタクトガラス上に載置された原稿に光を照射する光源と、
前記載置読取を実行するとき、前記第１コンタクトガラス上に載置された原稿からの反射光を受光することによって原稿を読み取るイメージセンサーと、
前記載置読取を実行するとき、前記光源を副走査方向に移動させることによって前記イメージセンサーが読み取る読取ラインを移動させる移動機構と、
前記光源、前記イメージセンサーおよび前記移動機構の各動作を制御する制御部と、
予め定められた閾値を超える振動が画像読取装置に発生したことを検知するための振動検知部と、を備え、
前記載置読取の実行中に前記閾値を超える振動を検知したとき、前記制御部は、前記載置読取を中断し、前記閾値を超える振動を検知したときに読み取っていたラインである検知時ラインに対して所定ライン数分だけ遡ったラインの読み取りが前記イメージセンサーにて行われる位置に前記光源を移動させ、前記検知時ラインに対して前記所定ライン数分だけ遡ったラインから前記載置読取をやり直すことを特徴とする画像読取装置。
【請求項２】
表示を行う表示部を備え、
前記制御部は、前記載置読取を中断した場合、前記載置読取をやり直す旨の第１メッセージの表示を前記表示部に行わせることを特徴とする請求項１に記載の画像読取装置。
【請求項３】
第２コンタクトガラスと、
前記第２コンタクトガラス上に原稿を搬送する原稿搬送部と、
情報を記憶する記憶部と、を備え、
前記第２コンタクトガラス上に搬送される原稿を読み取る搬送読取を実行するとき、前記光源は、前記第２コンタクトガラス上を通過する原稿に光を照射し、前記イメージセンサーは、前記第２コンタクトガラス上を通過する原稿からの反射光を受光することによって原稿を読み取り、
前記搬送読取の実行中に前記閾値を超える振動を検知したとき、前記制御部は、前記閾値を超える振動を検知したときに読み取っていた原稿のページ番号を前記記憶部に記憶させ、前記搬送読取が完了した後、前記ページ番号の原稿の再読み取りを促す第２メッセージの表示を前記表示部に行わせることを特徴とする請求項２に記載の画像読取装置。
【請求項４】
請求項１〜３のいずれか１項に記載の画像読取装置を備えた画像形成装置。
【発明の詳細な説明】
【技術分野】
【０００１】
本発明は、原稿を読み取る画像読取装置および画像形成装置に関する。
【背景技術】
【０００２】
従来、原稿を読み取って原稿の画像データを生成する画像読取装置が知られている。このような画像読取装置は、複合機などの画像形成装置に装着される。
【０００３】
たとえば、特許文献１の画像読取装置は、コンタクトガラス上に載置された原稿に光を照射する光源や、原稿で反射された反射光を光電変換するイメージセンサーなどを含む画像読取部を備える。そして、原稿を読み取るとき、光源を副走査方向に移動させる（照射位置を副走査方向に移動させる）ことにより、イメージセンサーが読み取る読取ラインを副走査方向に移動させる。
【先行技術文献】
【特許文献】
【０００４】
【特許文献１】特開２０１２−１６０８２０号公報
【発明の概要】
【発明が解決しようとする課題】
【０００５】
特許文献１の画像読取装置は、ブックスキャンモード（見開き原稿を読み取るためのスキャンモード）を搭載しており、ブックスキャンモードでの原稿の読み取り中に異常が発生すると、見開き原稿の再読み取り（読み取りのやり直し）を行う。なお、特許文献１の画像読取装置には、振動センサーが設けられる。そして、ブックスキャンモードでの原稿の読み取り中に振動センサーが振動を検知すると、異常が発生したと判断される。
【０００６】
ここで、特許文献１の画像読取装置では、見開き原稿の再読み取りを行うとき、見開き原稿の両ページのうちいずれのページの読み取り中に異常が発生したかが判断される。そして、見開き原稿の両ページのうち、異常が発生したときに読み取っていたページ（異常ページ）の再読み取りだけを行うことにより、再読み取りにかかる時間の短縮を図っている。
【０００７】
しかし、特許文献１の画像読取装置では、異常ページの全領域に対して再読み取りが行われる。このため、見開き原稿のサイズ（異常ページの副走査方向の長さ）が大きい場合には、異常ページの再読み取りだけを行うようにしても、再読み取りにかかる時間が長くなるという不都合が生じる。
【０００８】
本発明は、上記の課題を解決するためになされたものであり、原稿の再読み取り（読み取りのやり直し）にかかる時間を短縮することが可能な画像読取装置および画像形成装置を提供することを目的とする。
【課題を解決するための手段】
【０００９】
上記の目的を達成するために、本発明の画像読取装置は、第１コンタクトガラスと、第１コンタクトガラス上に載置された原稿を読み取る載置読取を実行するとき、第１コンタクトガラス上に載置された原稿に光を照射する光源と、載置読取を実行するとき、第１コンタクトガラス上に載置された原稿からの反射光を受光することによって原稿を読み取るイメージセンサーと、載置読取を実行するとき、光源を副走査方向に移動させることによってイメージセンサーが読み取る読取ラインを移動させる移動機構と、光源、イメージセンサーおよび移動機構の各動作を制御する制御部と、予め定められた閾値を超える振動が画像読取装置に発生したことを検知するための振動検知部とを備える。そして、載置読取の実行中に閾値を超える振動を検知したとき、制御部は、載置読取を中断し、閾値を超える振動を検知したときに読み取っていたラインである検知時ラインに対して所定ライン数分だけ遡ったラインの読み取りがイメージセンサーにて行われる位置に光源を移動させ、検知時ラインに対して所定ライン数分だけ遡ったラインから載置読取をやり直す（原稿の再読み取りを行う）。
【００１０】
本発明の構成では、載置読取の実行中に予め定められた閾値を超える振動を検知したことによって原稿の再読み取りを行うとき、検知時ラインに対して所定ライン数分だけ遡ったラインから原稿の読み取りをやり直すので、原稿の全領域（１ページ分の領域）に対して再読み取りを行う場合に比べて、原稿の再読み取りにかかる時間を短縮することができる。
【発明の効果】
【００１１】
本発明の構成では、原稿の再読み取り（読み取りのやり直し）にかかる時間を短縮することができる。
【図面の簡単な説明】
【００１２】
【図１】本発明の一実施形態による複合機の全体構成を示す図
【図２】本発明の一実施形態による複合機の画像読取部の構成を示す図
【図３】本発明の一実施形態による複合機のハードウェア構成を示す図
【図４】本発明の一実施形態による複合機に表示される画面の図
【図５】本発明の一実施形態による複合機において載置読取を中断してから載置読取を再実行するまでの画像読取部の状態を示す図
【図６】本発明の一実施形態による複合機において載置読取を実行するときの処理の流れについて説明するためのフローチャート
【図７】本発明の一実施形態による複合機に表示される画面の図
【図８】本発明の一実施形態による複合機において搬送読取を実行するときの処理の流れについて説明するためのフローチャート
【発明を実施するための形態】
【００１３】
本発明の一実施形態による画像読取装置を備えた画像形成装置について、スキャン機能やプリント機能など複数種の機能が搭載された複合機を例にとって説明する。
【００１４】
＜複合機の全体構成＞
図１に示すように、本実施形態の複合機１００は、印刷部１を備える。印刷部１は、用紙搬送路（図１では、破線で示す）に沿って用紙を搬送する。また、印刷部１は、印刷すべき画像の画像データに基づきトナー像を形成する。そして、印刷部１は、搬送中の用紙にトナー像を印刷する。なお、印刷部１は、用紙カセットに収容された用紙を用紙搬送路に給紙する給紙部１１、トナー像を形成して用紙に転写する画像形成部１２、および、用紙に転写されたトナー像を定着させる定着部１３などで構成される。
【００１５】
また、複合機１００は、画像読取部２を備える。画像読取部２は、複合機１００の装置本体の上方に設置される。
【００１６】
画像読取部２は、図２に示すように、載置読取用のコンタクトガラスＧ１および搬送読取用のコンタクトガラスＧ２が設置された読取筐体２０を備える。そして、画像読取部２は、コンタクトガラスＧ１上に載置された原稿Ｄを読み取る載置読取を実行する。あるいは、画像読取部２は、コンタクトガラスＧ２上に搬送される原稿Ｄを読み取る搬送読取を実行する。なお、コンタクトガラスＧ１は「第１コンタクトガラス」に相当し、コンタクトガラスＧ２は「第２コンタクトガラス」に相当する。
【００１７】
画像読取部２は、光源２１、イメージセンサー２２、ミラー２３およびレンズ２４を含み、原稿Ｄを光学的に読み取る。これら画像読取部２の各部材は、読取筐体２０の内部に配置される。
【００１８】
光源２１は、複数のＬＥＤ素子（図示せず）を有し、原稿Ｄに照射する光を生成する。複数のＬＥＤ素子は、主走査方向にライン状に配列される。載置読取の実行時には、コンタクトガラスＧ１上に載置された原稿Ｄに対して光源２１が光を照射する（コンタクトガラスＧ１を透過した光によって原稿Ｄが照射される）。搬送読取の実行時には、コンタクトガラスＧ２上に搬送される原稿Ｄに対して光源２１が光を照射する（コンタクトガラスＧ２を透過した光によって原稿Ｄが照射される）。原稿Ｄで反射された反射光は、ミラー２３で反射され、レンズ２４に導かれる。レンズ２４は、反射光を集光する。
【００１９】
イメージセンサー２２は、原稿Ｄからの反射光（レンズ２４で集光された光）を受光することによって原稿Ｄをライン単位で読み取る。このイメージセンサー２２は、主走査方向にライン状に並ぶ複数の光電変換素子を有するＣＣＤからなり、反射光を受光すると、ライン単位で画素毎に光電変換して電荷を蓄積する。そして、イメージセンサー２２は、蓄積電荷に応じたアナログ信号を出力する。
【００２０】
光源２１およびミラー２３は、主走査方向と直交する副走査方向に移動可能な移動枠２５に装着される。この移動枠２５の移動は、移動機構２６によって行われる。
【００２１】
移動機構２６は、ワイヤー２７、巻取ドラム２８および巻取モーターＭ１（図３参照）を含む。ワイヤー２７の一端は移動枠２５に連結され、ワイヤー２７の他端は巻取ドラム２８に連結される。また、巻取ドラム２８は、巻取モーターＭ１の駆動力が伝達されて回転する。これにより、巻取モーターＭ１が駆動すると、巻取ドラム２８が回転するので、移動枠２５が副走査方向に移動する。すなわち、光源２１が副走査方向に移動する。
【００２２】
また、画像読取部２は、読取筐体２０に開閉可能（回動可能）に取り付けられた原稿搬送ユニット２００（「原稿搬送部」に相当）を備える。原稿搬送ユニット２００は、搬送読取の実行時にコンタクトガラスＧ２上に原稿Ｄを搬送する。そして、搬送読取の実行時には、コンタクトガラスＧ２上を通過する原稿Ｄに対して光源２１が光を照射し、コンタクトガラスＧ２上を通過する原稿Ｄからの反射光をイメージセンサー２２が受光する。なお、原稿搬送ユニット２００は、載置読取の実行時には原稿押えとして機能する（コンタクトガラスＧ１上に載置された原稿Ｄを原稿搬送ユニット２００によって押え付けることができる）。
【００２３】
原稿搬送ユニット２００は、原稿セットトレイ２０１、原稿排出トレイ２０２、給紙ローラー２０３および搬送ローラー対２０４を含む。また、原稿搬送ユニット２００には、原稿セットトレイ２０１からコンタクトガラスＧ２上の所定位置を経由し原稿排出トレイ２０２に至る原稿搬送路２００Ｐが設けられる。
【００２４】
給紙ローラー２０３は、原稿セットトレイ２０１から原稿搬送路２００Ｐへの原稿Ｄの供給口に配置され、原稿セットトレイ２０１にセットされた原稿Ｄを原稿搬送路２００Ｐに給紙する。搬送ローラー対２０４は、原稿Ｄの搬送経路に複数配置され、原稿搬送路２００Ｐに沿って原稿Ｄを搬送する。原稿搬送路２００Ｐに沿って搬送される原稿Ｄは、コンタクトガラスＧ２上を通過し、最終的に原稿排出トレイ２０２に排出される。
【００２５】
図１に戻って、複合機１００は、操作パネル３を備える。操作パネル３は、タッチパネルディスプレイ３１やハードウェアキー３２などを含む。タッチパネルディスプレイ３１は、ソフトウェアキーを表示し、ユーザーから各種設定を受け付ける。さらに、タッチパネルディスプレイ３１は、メッセージを表示し、ユーザーに対して各種報知を行う。ハードウェアキー３２は、操作パネル３に複数設けられる。たとえば、スキャンを伴うジョブ（コピージョブなど）の実行指示をユーザーから受け付けるためのスタートキー３２Ｓがハードウェアキー３２として操作パネル３に設けられる。なお、操作パネル３は、「表示部」に相当する。
【００２６】
＜複合機のハードウェア構成＞
図３に示すように、複合機１００は、主制御部１１０を備える。主制御部１１０は、ＣＰＵ１１１およびメモリー１１２（ＲＯＭやＲＡＭ）を含む。メモリー１１２は、制御用プログラムおよびデータを記憶する。そして、主制御部１１０は、制御用のプログラムおよびデータに基づき、複合機１００の全体制御を行う。たとえば、主制御部１１０は、印刷部１の印刷動作を制御する。
【００２７】
また、複合機１００（画像読取部２）は、スキャン制御部２１０を備える。なお、スキャン制御部２１０は、「制御部」に相当する。スキャン制御部２１０は、スキャンＣＰＵ２１１、スキャンメモリー２１２（ＲＯＭやＲＡＭ）および画像処理部２１３を含む。このスキャン制御部２１０は、画像読取部２の画像読取動作（原稿搬送ユニット２００の原稿搬送動作を含む）を制御する。
【００２８】
具体的には、スキャン制御部２１０は、巻取モーターＭ１の駆動（巻取ドラム２８の回転）を制御し、光源２１が装着された移動枠２５を副走査方向に適切に移動させる。すなわち、スキャン制御部２１０は、移動機構２６の動作を制御する。また、スキャン制御部２１０は、光源２１およびイメージセンサー２２に接続される。そして、スキャン制御部２１０は、光源２１の点灯動作およびイメージセンサー２２の読取動作を制御する。
【００２９】
さらに、スキャン制御部２１０は、原稿搬送ユニット２００の各種回転体（給紙ローラー２０３および搬送ローラー対２０４）を回転させるための搬送モーターＭ２と接続される。そして、スキャン制御部２１０は、搬送モーターＭ２の駆動を制御し、給紙ローラー２０３および搬送ローラー対２０４を適切に回転させる。
【００３０】
スキャン制御部２１０の画像処理部２１３は、増幅回路やＡ／Ｄ変換回路、画像処理回路および画像処理メモリーなどを含み、原稿Ｄの読み取りによって得られた原稿Ｄの画像データ（イメージセンサー２２のアナログ出力）をデジタルの画像データに変換する。さらに、画像処理部２１３は、シェーディング補正など各種画像処理を行う。画像処理済みの画像データは、スキャンメモリー２１２に記憶される。
【００３１】
また、複合機１００（操作パネル３）は、パネル制御部３１０を備える。パネル制御部３１０は、操作パネル３の表示動作を制御したり、操作パネル３に対して行われた操作を検知したりする。
【００３２】
ここで、複合機１００は、複合機１００（読取筐体２０）に発生した振動を検知するための振動センサー２０Ｓを備える。たとえば、振動センサー２０Ｓとして加速度センサーが用いられる。
【００３３】
振動センサー２０Ｓは、読取筐体２０の内部に設置される。また、振動センサー２０Ｓの出力はスキャン制御部２１０が受ける。そして、スキャン制御部２１０は、振動センサー２０Ｓの出力値に基づき、複合機１００に発生した振動が予め定められた閾値を超えたか否かを検知する振動検知を行う。たとえば、複合機１００にユーザーの体が当り、それによって複合機１００に衝撃が加わると、複合機１００に発生する振動が閾値を超える。
【００３４】
＜原稿の読取動作＞
載置読取用のコンタクトガラスＧ１上に原稿Ｄが載置され、その状態でスタートキー３２Ｓに対する押下操作を操作パネル３が受け付けると、スキャン制御部２１０は、載置読取の実行指示を受け付けたと判断し、載置読取を開始する。
【００３５】
載置読取の実行指示を受けると、スキャン制御部２１０は、光源２１を点灯させる。また、スキャン制御部２１０は、光源２１を点灯させた状態で、副走査方向の上流側（左側）から下流側（右側）に向けて光源２１を移動させる。すなわち、スキャン制御部２１０は、イメージセンサー２２が読み取る読取ラインを副走査方向に移動させる。このとき、スキャン制御部２１０は、コンタクトガラスＧ１上の原稿Ｄで反射された反射光の光電変換をイメージセンサー２２に連続して繰り返し行わせる。これにより、原稿Ｄの読み取りがライン単位で行われる。
【００３６】
また、原稿搬送ユニット２００の原稿セットトレイ２０１に原稿Ｄがセットされ、その状態でスタートキー３２Ｓに対する押下操作を操作パネル３が受け付けると、スキャン制御部２１０は、搬送読取の実行指示を受け付けたと判断し、搬送読取を開始する。
【００３７】
搬送読取の実行指示を受けると、スキャン制御部２１０は、光源２１を点灯させ、コンタクトガラスＧ２の下方に光源２１を移動させる。また、スキャン制御部２１０は、コンタクトガラスＧ２上への原稿Ｄの搬送を原稿搬送ユニット２００に行わせる。そして、スキャン制御部２１０は、原稿Ｄの先端がコンタクトガラスＧ２上の所定位置（搬送読取時の読取位置）に到達するタイミングで原稿Ｄの読み取りを開始させ、原稿Ｄの後端が所定位置を抜けるまで原稿Ｄの読み取りを続行させる。このとき、スキャン制御部２１０は、コンタクトガラスＧ２上の原稿Ｄで反射された反射光の光電変換をイメージセンサー２２に連続して繰り返し行わせる。これにより、原稿Ｄの読み取りがライン単位で行われる。
【００３８】
＜載置読取時の振動検知＞
スキャン制御部２１０は、載置読取の実行中に閾値を超える振動が発生したことを検知したとき、移動機構２６による光源２１の移動を停止させるとともに、イメージセンサー２２による原稿Ｄの読み取りを停止させる。すなわち、スキャン制御部２１０は、載置読取を中断する。また、スキャン制御部２１０は、載置読取の開始から何ライン目で閾値を超える振動を検知したかを示す振動情報をスキャンメモリー２１２に記憶させる。
【００３９】
その後、スキャン制御部２１０は、閾値を超える振動を検知したことを示す振動通知をパネル制御部３１０に送信する。振動通知を受けたパネル制御部３１０は、図４に示すような画面ＰＳ１をタッチパネルディスプレイ３１に表示させる。画面ＰＳ１には、載置読取をやり直す旨をユーザーに報知するためのメッセージＭＧ１（「第１メッセージ」に相当）が配される。
【００４０】
また、スキャン制御部２１０は、図５に示すように、閾値を超える振動を検知したときに読み取っていたラインである検知時ラインＬｂに対して所定ライン数分だけ遡ったラインＬａの読み取りがイメージセンサー２２にて行われる位置に光源２１を移動させる。特に限定されないが、たとえば、所定ライン数は「５０」である。そして、スキャン制御部２１０は、載置読取をラインＬａからやり直す。すなわち、スキャン制御部２１０は、光源２１を点灯させつつ光源２１を副走査方向の下流側（右側）に向けて移動させ、コンタクトガラスＧ１上の原稿Ｄで反射された反射光の光電変換をイメージセンサー２２に連続して繰り返し行わせる。
【００４１】
以下、図６に示すフローチャートを参照し、載置読取の実行時の処理の流れについて説明する。図６に示すフローチャートは、載置読取の実行指示を受け付けたとスキャン制御部２１０が判断したときにスタートする。
【００４２】
ステップＳ１において、スキャン制御部２１０は、初期処理を行う。このとき、スキャン制御部２１０は、ユーザーにより設定された設定値（読取解像度など）に基づきジョブ実行条件を認識する。また、スキャン制御部２１０は、載置読取を実行するための処理として予め定められた準備処理を行う。なお、初期処理として、シェーディング補正に用いる白基準データを取得する処理（図示しない白基準板を読み取る処理）などが行われてもよい。
【００４３】
続いて、ステップＳ２において、スキャン制御部２１０は、載置読取を開始する。このとき、スキャン制御部２１０は、振動センサー２０Ｓを使用した振動検知も開始する。なお、スキャン制御部２１０による振動検知は、載置読取の開始から完了まで行われる。
【００４４】
そして、ステップＳ３において、スキャン制御部２１０は、振動センサー２０Ｓの出力値に基づき、閾値を超える振動が複合機１００に発生したか否かを判断する。その結果、閾値を超える振動が発生していないとスキャン制御部２１０が判断した場合には、ステップＳ４に移行する。
【００４５】
ステップＳ４に移行すると、スキャン制御部３１０は、原稿Ｄの読み取りが完了したか否かを判断する。その結果、原稿Ｄの読み取りが完了したとスキャン制御部２１０が判断した場合には、ステップＳ５に移行する。一方で、完了していないとスキャン制御部２１０が判断した場合には、ステップＳ３に移行する（載置読取を続行する）。
【００４６】
ステップＳ５に移行すると、スキャン制御部２１０は、載置読取を終了する。なお、載置読取の実行によって得られた画像データは、スキャンメモリー２１２に記憶される。
【００４７】
ここで、ステップＳ３において、閾値を超える振動が発生したとスキャン制御部２１０が判断した場合には、ステップＳ６に移行する。ステップＳ６に移行すると、スキャン制御部２１０は、載置読取を中断する。
【００４８】
搬送読取を中断すると、ステップＳ７において、スキャン制御部２１０は、閾値を超える振動を検知したときに読み取っていた検知時ラインに対して所定ライン数分だけ遡ったラインの読み取りがイメージセンサー２２にて行われる位置に光源２１を移動させる。また、ステップＳ８において、スキャン制御部２１０は、振動通知をパネル制御部３１０に送信し、図４に示した画面ＰＳ１（メッセージＭＧ１）の表示を行わせる。
【００４９】
その後、ステップＳ９において、スキャン制御部２１０は、閾値を超える振動を検知したときに読み取っていた検知時ラインに対して所定ライン数分だけ遡ったラインから載置読取をやり直す（載置読取を再実行する）。載置読取が再実行されると、ステップＳ３に移行する。すなわち、載置読取の再開以降も、スキャン制御部２１０による振動検知は行われる。そして、閾値を超える振動が発生すると、載置読取のやり直しが行われる。
【００５０】
なお、載置読取を開始してから所定ライン数分の読み取りが終わる前に閾値を超える振動が発生した場合、すなわち、載置読取を開始してから所定ライン数分の読み取りが終わる前に載置読取を中断した場合、スキャン制御部２１０は、載置読取を１ライン目からやり直す。
【００５１】
＜搬送読取時の振動検知＞
スキャン制御部２１０は、搬送読取の実行中に閾値を超える振動が発生したことを検知したとき、閾値を超える振動を検知したときに読み取っていった原稿Ｄ（以下、検知時原稿Ｄと称する場合がある）のページ番号を示す情報を振動情報としてスキャンメモリー２１２に記憶させる。なお、スキャン制御部２１０は、搬送読取の実行中に閾値を超える振動を検知して以降も、搬送読取を中断せずに続行する。すなわち、スキャン制御部２１０は、搬送読取を完了させる（原稿搬送ユニット２００にセットされた全ての原稿Ｄを読み取る）。
【００５２】
搬送読取が完了すると、スキャン制御部２１０は、閾値を超える振動を検知したことを示す振動通知をパネル制御部３１０に送信する。この振動通知を受けたパネル制御部３１０は、図７に示すような画面ＰＳ２をタッチパネルディスプレイ３１に表示させる。画面ＰＳ２内には、振動情報で示されるページ番号の原稿Ｄ（検知時原稿Ｄ）の再読み取りをユーザーに促すためのメッセージＭＧ２（「第２メッセージ」に相当）が配される。さらに、画面ＳＰ２内には、再読み取りを実行しない旨をユーザーから受け付けるための非実行キーＫが配される。この非実行キーＫに対してタッチ操作を行うと、画面ＳＰ２の表示が停止される。
【００５３】
スキャン制御部２１０は、非実行キーＫに対するタッチ操作が行われずに（画面ＳＰ２が表示されたまま）、原稿搬送ユニット２００に原稿Ｄがセットされ、スタートキー３２Ｓに対する押下操作が行われると、搬送読取を再実行する（再読み取りを実行する）。そして、スキャン制御部２１０は、振動情報で示されるページ番号の原稿Ｄの画像データとして、搬送読取の再実行により得られた原稿Ｄの画像データ（以下、再読み取りデータと称する場合がある）をスキャンメモリー２１２に記憶させる。
【００５４】
以下、図８に示すフローチャートを参照し、搬送読取の実行時の処理の流れについて説明する。図８に示すフローチャートは、搬送読取の実行指示を受け付けたとスキャン制御部２１０が判断したときにスタートする。
【００５５】
ステップＳ１１において、スキャン制御部２１０は、初期処理を行う。このとき、スキャン制御部２１０は、ユーザーにより設定された設定値（読取解像度など）に基づきジョブ実行条件を認識する。また、スキャン制御部２１０は、搬送読取を実行するための処理として予め定められた準備処理を行う。
【００５６】
ステップＳ１２において、スキャン制御部２１０は、搬送読取を開始する。このとき、スキャン制御部２１０は、振動センサー２０Ｓを使用した振動検知も開始する。そして、ステップＳ１３において、スキャン制御部２１０は、振動センサー２０Ｓの出力値に基づき、閾値を超える振動が複合機１００に発生したか否かを判断する。その結果、閾値を超える振動が発生したとスキャン制御部２１０が判断した場合には、ステップＳ１４に移行する。
【００５７】
ステップＳ１４に移行すると、スキャン制御部２１０は、検知時原稿Ｄのページ番号を示す情報を振動情報としてスキャンメモリー２１２に記憶させる。その後、ステップＳ１５に移行する。なお、ステップＳ１３において、閾値を超える振動が発生していないとスキャン制御部２１０が判断した場合にも、ステップＳ１５に移行する。
【００５８】
ステップＳ１５に移行すると、スキャン制御部３１０は、原稿搬送ユニット２００にセットされた全ての原稿Ｄの読み取りが完了したか否かを判断する。たとえば、原稿搬送ユニット２００には、原稿セットトレイ２０１上の原稿Ｄの有無（原稿Ｄが残っているか否か）を検知するための有無センサーが設けられる。そして、スキャン制御部２１０は、有無センサーの出力値に基づき原稿セットトレイ２０１上の原稿Ｄの有無検知を行い、原稿Ｄの無しを検知すると、原稿搬送ユニット２００にセットされた全ての原稿Ｄの読み取りが完了したと判断する。
【００５９】
ステップＳ１５において、原稿搬送ユニット２００にセットされていた全ての原稿Ｄの読み取りが完了したとスキャン制御部２１０が判断した場合には、ステップＳ１６に移行する。一方で、完了していないとスキャン制御部２１０が判断した場合には、ステップＳ１３に移行する（搬送読取を続行する）。
【００６０】
ステップＳ１６に移行すると、スキャン制御部２１０は、スキャンメモリー２１２に振動情報が記憶されているか否か（搬送読取の実行中に閾値を超える振動が発生したか否か）を判断する。その結果、振動情報が記憶されていないとスキャン制御部２１０が判断した場合には、ステップＳ１７に移行する。ステップＳ１７に移行すると、スキャン制御部２１０は、搬送読取を終了する。
【００６１】
一方で、ステップＳ１６において、振動情報が記憶されているとスキャン制御部２１０が判断した場合には、ステップＳ１８に移行する。ステップＳ１８に移行すると、スキャン制御部２１０は、振動通知をパネル制御部３１０に送信し、図７に示した画面ＰＳ２（メッセージＭＧ２）の表示を行わせる。そして、ステップＳ１９において、スキャン制御部３１０は、再読み取りの実行指示を受け付けたか否かを判断する。その結果、再読み取りを実行する旨を受け付けたとスキャン制御部２１０が判断した場合には、ステップＳ２０に移行し、再読み取りを実行しない旨を受け付けたとスキャン制御部２１０が判断した場合には、ステップＳ１７に移行する。
【００６２】
ステップＳ２０に移行すると、スキャン制御部２１０は、搬送読取を再実行する。そして、ステップＳ２１において、スキャン制御部２１０は、再読み取りデータを生成する。その後、ステップＳ１７に移行する。なお、ステップＳ２１からステップＳ１７に移行した場合、スキャン制御部２１０は、振動情報で示されるページ番号の画像データとして、再読み取りデータをスキャンメモリー２１２に記憶させる。
【００６３】
本実施形態の構成では、載置読取の実行中に予め定められた閾値を超える振動を検知したことによって原稿Ｄの再読み取りを行うとき、検知時ラインに対して所定ライン数分だけ遡ったラインから原稿Ｄの読み取りをやり直すので、原稿Ｄの全領域（１ページ分の領域）に対して再読み取りを行う場合に比べて、原稿Ｄの再読み取り（読み取りのやり直し）にかかる時間を短縮することができる。
【００６４】
また、本実施形態では、載置読取を中断した場合、載置読取をやり直す旨のメッセージＭＧ１を表示する（図４に示す画面ＰＳ１を表示する）。これにより、複合機１００が故障した（あるいは、複合機１００の調子が悪い）とユーザーが勘違いするのを抑制することができる。
【００６５】
また、本実施形態では、搬送読取が完了した後、当該完了した搬送読取の実行中に閾値を超える振動が発生していれば、振動情報で示されるページ番号の原稿Ｄの再読み取りを促すメッセージＭＧ２を表示する（図７に示すような報知画面ＳＰ２を表示する）。これにより、振動情報で示されるページ番号の原稿Ｄ（読み取った画像の画質が低い原稿Ｄ）の再読み取りが必要であることをユーザーに認識させることができる。
【００６６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６７】
３  操作パネル（表示部）
２０  画像読取部（画像読取装置）
２０Ｓ  振動センサー（振動検知部）
２１  光源
２２  イメージセンサー
２６  移動機構
１００  複合機（画像形成装置）
２００  原稿搬送ユニット（原稿搬送部）
２１０  スキャン制御部（制御部）
２１２  記憶部（スキャンメモリー）
Ｇ１  コンタクトガラス（第１コンタクトガラス）
Ｇ２  コンタクトガラス（第２コンタクトガラス）
ＭＧ１  メッセージ（第１メッセージ）
ＭＧ２  メッセージ（第２メッセージ）
【図１】
2017229023.tif 000003
【図２】
2017229023.tif 000004
【図３】
2017229023.tif 000005
【図４】
2017229023.tif 000006
【図５】
2017229023.tif 000007
【図６】
2017229023.tif 000008
【図７】
2017229023.tif 000009
【図８】
2017229023.tif 000010